(57)【要約】【課題】  堆肥への酸素の供給量が少ないため堆肥の発酵に時間がかかっていた。【解決手段】  穴あけ機を動力により堆肥室内の堆肥上面から堆肥内に差し込んで、堆肥にその上面に開口する縦穴をあけ、縦穴から穴あけ機を抜いてから、穴あけ機を堆肥室内を移動させて所望位置で停止させ、堆肥上面から堆肥内に差し込んで、堆肥上面に開口する縦穴をあけ、以後、縦穴からの穴掛け機の抜き、穴あけ機の移動、堆肥への差込みを繰り返して堆肥に多数の縦穴をあける方法である。縦穴の下部に縦穴の上部よりも径の大きな拡張空間部を形成して、堆肥に拡張空間部のある縦穴を多数あけるようにした。二以上の穴あけ機を同時に又は時間差を設けて堆肥に差し込んで縦穴をあけるようにした。攪拌機で攪拌された堆肥内に穴あけ機を差し込んで縦穴をあけるようにした。【選択図】      図１
2005239510.tif 000002
【特許請求の範囲】
【請求項１】
穴あけ機を動力により堆肥室内の堆肥上面から堆肥内に差し込んで、堆肥にその上面に開口する縦穴をあけ、縦穴から穴あけ機を抜いてから、穴あけ機を堆肥室内を移動させて所望位置で停止させ、堆肥上面から堆肥内に差し込んで、堆肥にその上面に開口する縦穴をあけ、以後、穴あけ機の移動、堆肥への差込みを繰り返して堆肥に多数の縦穴をあけることを特徴とする堆肥への穴あけ方法。
【請求項２】
穴あけ機を動力により堆肥室内の堆肥上面から堆肥内に差し込んで、堆肥にその上面に開口する縦穴をあけ、縦穴の下部に縦穴の上部よりも径の大きな拡張空間部を形成し、縦穴から穴あけ機を抜いてから、穴あけ機を堆肥室内を移動させて所望位置で停止させ、堆肥上面から堆肥内に差し込んで、堆肥にその上面に開口する縦穴をあけ、縦穴の下部に拡張空間部を形成し、以後、穴あけ機の移動、堆肥への差込み、拡張空間部の形成を繰り返して、堆肥に拡張空間部のある縦穴を多数あけることを特徴とする堆肥への穴あけ方法。
【請求項３】
請求項１または請求項２記載の堆肥への穴あけ方法において、二以上の穴あけ機を同時に又は時間差を設けて堆肥上面から堆肥に差し込んで、堆肥にその上面に開口する縦穴を二以上あけることを特徴とする堆肥への穴あけ方法。
【請求項４】
請求項１乃至請求項３のいずれかに記載の堆肥への穴あけ方法において、穴あけ機を攪拌機で攪拌された堆肥内に堆肥上面から差し込んで、堆肥にその上面に開口する縦穴をあけることを特徴とする堆肥への穴あけ方法。
【請求項５】
堆肥室内を移動する穴あけ機と、穴あけ機を堆肥上面から堆肥内に差し込んで堆肥にその上面に開口する縦穴をあける動力を備えたことを特徴とする堆肥穴あけ装置。
【請求項６】
請求項５記載の堆肥穴あけ装置において、穴あけ機が縦方向に伸縮することを特徴とする堆肥穴あけ装置。
【請求項７】
請求項５又は請求項６記載の堆肥穴あけ装置において、穴あけ機が、堆肥内にあけられた縦穴の下部を膨らませて、縦穴にその上部よりも径の大きな拡張空間部を形成する穴拡張機構を備えたことを特徴とする堆肥穴あけ装置。
【請求項８】
請求項５乃至請求項７のいずれかに記載の堆肥穴あけ装置において、穴あけ機の移動方向先方に堆肥を攪拌する攪拌機を備え、穴あけ機は攪拌機で攪拌された堆肥の上面から差し込まれて、堆肥にその上面に開口する縦穴をあけることを特徴とする堆肥穴あけ装置。
【請求項９】
請求項５乃至請求項８のいずれかに記載の堆肥穴あけ装置において、穴あけ機が攪拌機により牽引されて移動するか、又は攪拌機の移動とは別の動力で攪拌機と別に移動することを特徴とする堆肥穴あけ装置。
【発明の詳細な説明】
【技術分野】
【０００１】
本発明は牛糞、豚糞、鶏糞などの家畜の糞や生ゴミなどの生物系の廃棄物を発酵させて堆肥を作るための堆肥への穴あけ方法と堆肥穴あけ装置に関するものである。
【背景技術】
【０００２】
堆肥は野積みが禁止されて、屋根のある室内に収容することが義務づけられている。家畜の糞とか廃棄物等（以下「堆肥材料」という）を堆肥にする場合、堆積された堆肥（堆肥になる前は堆肥材料：以下、堆肥材料も堆肥という）を発酵させる必要がある。堆肥を発酵させるためには好気的な条件が必要であるが、堆肥を積んだままでは堆肥の内部が空気不足になって十分に発酵しない。そこで従来は次のような技術が開発されていた。
【０００３】
１．堆肥室の底面に埋め込みピットを設け、その内部に送風パイプを配置し、パイプに空気吹き出し穴をあけて、そこから空気を噴出して、堆肥に供給する装置（特許文献１参照）。
２．回転パイプの外周に螺旋状の攪拌翼を取り付けた攪拌機を、堆積された堆肥内で回転させて堆肥を攪拌しながら、回転パイプの穴から堆肥の内部に空気を供給して堆肥を発酵させる堆肥発酵装置（特許文献２参照）。
３．回転パイプに設けた螺旋状の回転翼から堆肥内に高圧空気を噴出して堆肥を切断して攪拌装置が堆肥内を移動し易くなるようにすると同時に、堆肥内に空気を供給して堆肥の発酵を促進する堆肥攪拌装置（特許文献３参照：本件出願の発明者が先に開発したもの）。
【０００４】
【特許文献１】登録実用新案第３０５１１１４号公報
【０００５】
【特許文献２】特開２０００−２８１４７１号公報
【０００６】
【特許文献３】特開２００２−３５６３９２号公報
【発明の開示】
【発明が解決しようとする課題】
【０００７】
（１）前記１の従来技術では、空気噴出し穴が堆肥場の底面のパイプに設置されているため、堆肥の重みで空気噴出し穴が目詰まりし易く、空気の供給が不十分になり易く、発酵に時間がかかり、堆肥になるまでに時間がかかり、堆肥の生産性が低かった。
（２）前記２の従来技術では、前者よりは堆肥の内部まで空気が供給され易くなるが、空気の供給が不足しがちであり、発酵に時間がかかり、堆肥になるまでに時間がかかり、堆肥の生産性が低かった。
（３）前記３の従来技術は、特に課題は無いが、しいてあげれば、螺旋状の攪拌翼の回転によって回転パイプの外周に縦穴が形成され、攪拌翼から噴出される高圧気体が縦穴内を通って上方に逃げてしまい、堆肥内への拡散が不十分になる。
【課題を解決するための手段】
【０００８】
本件出願の発明は、堆肥の発酵に必要な空気を堆肥に十分に供給することのできる堆肥への穴あけ方法と、堆肥穴あけ装置を提供することにある。
【０００９】
本願の堆肥への穴あけ方法は、穴あけ機を動力により堆肥室内の堆肥上面から堆肥内に差し込んで、堆肥にその上面に開口する縦穴をあけ、縦穴から穴あけ機を抜いてから、穴あけ機を堆肥室内を移動させて所望位置で停止させ、堆肥上面から堆肥内に差し込んで、堆肥にその上面に開口する縦穴をあけ、以後、縦穴から穴あけ機を抜き、穴あけ機の移動、堆肥への差込みを繰り返して堆肥に多数の縦穴をあける方法である。この場合、縦穴の下部に、縦穴の上部よりも径の大きな拡張空間部を形成し、その後に、穴あけ機の移動、堆肥への差込み、拡張空間部の形成を繰り返して、堆肥に拡張空間部のある縦穴を多数あけることができる。二以上の穴あけ機を同時に又は時間差を設けて堆肥に差し込んで縦穴をあけることもできる。穴あけ機を攪拌機で堆肥された堆肥内に堆肥上面から差し込んで縦穴をあけることもできる。
【００１０】
本願の堆肥穴あけ装置は、堆肥室内の堆肥に縦穴をあける穴あけ機を備え、穴あけ機は動力により堆肥上面から堆肥に差し込まれて、堆肥にその上面に開口する縦穴をあけるものである。穴あけ機は縦方向に伸縮するものにしてある。穴あけ機に、堆肥内にあけられた縦穴の下方を膨らませて、縦穴の下部に縦穴の上部よりも径の大きな拡張空間部を形成する穴拡張機構を設けた。穴あけ機の移動方向先方に、堆肥を攪拌する攪拌機を設け、穴あけ機をその攪拌機で牽引して移動させるか、又は攪拌機とは別に移動させるようにしてある。穴あけ機は攪拌機の後から移動して攪拌された堆肥に穴をあけることができるようにしてある。
【発明の効果】
【００１１】
（１）本願の堆肥への穴あけ方法は、穴あけ機を動力により堆肥室内の堆肥上面から堆肥内に差し込んで、堆肥にその上面に開口する縦穴をあけ、縦穴から穴あけ機を抜いてから、穴あけ機を堆肥室内で移動させて所望位置で停止させ、堆肥上面から堆肥内に差し込んで、堆肥上面に開口する縦穴をあけ、以後、縦穴からの穴掛け機の抜き、穴あけ機の移動、堆肥への差込みを繰り返して堆肥に多数の縦穴をあけるため、堆肥室内の堆肥全般に堆肥に縦穴が自動的にあけられ、その縦穴から堆肥内に空気が供給される。
（２）縦穴の下部に、縦穴の上部よりも径の大きな拡張空間部を形成するので、その拡張空間部にも空気が供給され、堆肥内へ供給される空気量が多くなり、特に空気の少ない縦穴の下部への空気供給量が多くなり、堆肥の上部から下部まで発酵しやすくなる。
（３）二以上の穴あけ機で同時に孔をあければ、多くの縦穴を効率よくあけることができる。二以上の穴あけ機を時間差を設けて縦穴をあければ、パワーの弱い動力でも縦穴をあけることができる。
（４）穴あけ機を攪拌機で堆肥された堆肥内に堆肥上面から差し込むため、差込みが容易になり、短時間で確実な穴あけが可能となる。
【００１２】
（１）本願の堆肥穴あけ装置は、堆肥室内を移動する穴あけ機と、穴あけ機を堆肥上面から堆肥内に差し込んで堆肥にその上面に開口する縦穴をあける動力を備えたので、穴あけ機を堆肥室内で移動させれば、堆肥室内の堆肥全般に自動的に縦穴をあけることができる。
（２）穴あけ機が縦方向に伸縮するので、堆肥の堆積高が高くなっても、堆肥室内の天井が低くても、堆肥への穴あけ機の差し込み、引抜が容易になる。
（３）穴あけ機に、堆肥内にあけられた縦穴の下方を膨らませて、縦穴の下部に縦穴の上部よりも径の大きな拡張空間部を形成する穴拡張機構を設けたので、拡張空間部を形成して、堆肥下部へ供給する空気量を多くすることができる。
（４）穴あけ機の移動方向先方に、堆肥を攪拌する攪拌機を設け、穴あけ機をその攪拌機の後から移動させるので、攪拌機で攪拌されてほぐれている堆肥に穴あけ機を差し込むことができ、穴あけが容易になる。
（５）穴あけ機を攪拌機で牽引して移動させれば、穴あけ機で攪拌されて空気が供給され、攪拌直後の堆肥に穴をあけることができ、攪拌された堆肥により一層空気が進入し易くなる。
（６）穴あけ機を攪拌機と別に移動させれば、攪拌機による堆肥攪拌とは別に、随時、堆肥に穴をあけることができ、攪拌とは別に堆肥に空気を供給することができる。
【発明を実施するための最良の形態】
【００１３】
（穴あけ方法の実施形態１）
本発明の堆肥への穴あけ方法の実施形態の一例を図面を参照して説明する。この穴あけ方法は次のように行う方法である。
（１）図１、２に示すように、上下に伸縮可能な穴あけ機１を、図２のように縮めてある状態から、油圧、エアー等を動力源とする駆動機１５により図１のように下方に伸ばして、堆肥室内の堆肥上面３から堆肥２内に差し込んで、堆肥２にその上面に開口する縦穴５をあける。
（２）穴あけ機１を図２のように縮めて縦穴５から抜いてから、穴あけ機１を他の箇所に移動させて所望位置で停止させる。
（３）停止位置で、穴あけ機１を図１のように下方に伸ばして、堆肥上面３から堆肥２内に差し込んで、堆肥２にその上面に開口する縦穴５をあける。
（５）以後、縦穴５からの穴あけ機１の引き抜き、穴あけ機１の移動、穴あけ機１を伸ばしての堆肥２への差込み、を繰り返して堆肥２に多数の縦穴５をあける。この場合、穴あけ機１を図３のように前後（図３の矢印ａ、ｂ方向）左右（図３の矢印ｃ、ｄ方向）に移動させて、多数の縦穴５を堆肥全般に前後左右に数列ずつあけることができる。
【００１４】
図１の場合は、穴あけ機１が一本の場合であるが、穴あけ機１は図４のように複数本一列に並べて、それら複数本の穴あけ機で同時に多数の縦穴５を一列に空けることができる。この場合は、一例に並べた穴あけ機１を堆肥室内の左右（図３の矢印ｃ、ｄ方向）に同時に移動させて所定位置で停止させ、その位置で、それら穴あけ機１を同時に堆肥２に差し込んで次の縦穴５を前後に一列にあけることができる。この繰り返しにより、堆肥全般に図３のように縦穴５をあけることができる。穴あけ機１は伸縮式のものでなくてもよい。その場合は、当然のことながら伸縮を行う必要はない。
【００１５】
（穴あけ方法の実施形態２）
図５〜図９に示すものは、上から下まで均一径の縦穴を空けるのではなく、縦穴５の下部に縦穴５の上部よりも径の大きな拡張空間部６を形成する方法である。この場合は次のようにして穴あけを行う。
（１）図５のように縮めてある穴あけ機１を、油圧、エアー等を動力源とする駆動機１５により図６のように下方に伸ばして、堆肥室内の堆肥上面３から堆肥２内に差し込んで、堆肥２にその上面に開口する縦穴５をあける。
（２）縦穴５内で穴あけ機１の穴拡張機構２０を拡げて、縦穴５の下部に拡張空間部２１を形成する。
（３）穴拡張機構２０を縮小してから穴あけ機１を縦穴５から引き抜いて、穴あけ機１を他の箇所に移動させて所望位置で停止させる。
（４）前記停止位置で、穴あけ機１を図１のように下方に伸ばして、堆肥上面３から堆肥２内に差し込んで、堆肥２にその上面に開口する縦穴５をあける。
（５）縦穴５内で穴あけ機１の穴拡張機構２０を拡げて、縦穴５の下部に拡張空間部２１を形成する。
（６）以後、穴拡張機構２０を縮小、縦穴５からの穴あけ機１の引き抜き、穴あけ機１の移動、穴あけ機１を伸ばして堆肥２への差込みによる縦穴の穴あけ、穴拡張機構２０の拡大による拡張空間部２１の形成、を繰り返して堆肥に、拡張空間部２１を備えた多数の縦穴５をあける。この場合も、穴あけ機１を図３のように前後（図３の矢印ａ、ｂ方向）左右（図３の矢印ｃ、ｄ方向）に移動させて、多数の縦穴５を堆肥に前後左右に数列ずつあけることができる。
【００１６】
前記穴あけは、図１０〜図１８のように堆肥を攪拌機３０で攪拌し、その後から、攪拌された堆肥２に穴あけ機１により行うこともできる。図１０〜図１３の攪拌機３０はロータリー式、図１４〜図１７の攪拌機３０はスクープ式、図１８の攪拌機３０はスクリュー式のものである。
【００１７】
（堆肥穴あけ装置の実施形態１）
本発明の堆肥穴あけ装置の実施形態を図面に基づいて説明する。図１〜３に示す堆肥穴あけ装置は、図３のように堆肥室内の天井側に２本並行に配置された固定のガイドレール１１と、両ガイドレール１１間にそれに沿って往復移動可能に架設された前後レール１２を備え、前後レール１２にそれに沿って往復移動可能に穴あけ機１を搭載してある。
【００１８】
穴あけ機１は図１、２のように前後レール１２の下方に突出しており、図１の伸びた状態から図２の縮んだ状態まで伸縮可能としてある。穴あけ機１は縦方向に三段に形成されており、上段の部材１３aよりも中段の部材１３ｂが、中段の部材１３ｂよりも下段の部材１３ｃが次第に細くなっており、縮めるときは下段の部材１３ｃが中段の部材１３ｂの内側に、中断の部材１３ｂが上段の部材１３ａの内側に収納され、伸ばすときは、先に下段の部材１３ｃが中段の部材１３ｂの下方に突出し、次に中段の部材１３ｂが下段の部材１３ｃの下方に突出するようにしてある。伸縮の段数は所望段数とすることができ、収納、突出の順番も所望の順にすることができる。又、場合によっては、必ずしも、伸縮式ではなくともよい。
【００１９】
下段の部材１３ｃは堆肥に差し込み易いように下端１３ｄが先に向けて尖っている。穴あけ機１は前後レール１２に沿って移動する前後移動機構１４に下向きに搭載されており、前後移動機構１４の移動に伴って前後レール１２に沿って移動するようにしてある。前後移動機構１４には穴あけ機１を上下に伸縮させるための駆動機１５が取付けられており、駆動機１５により穴あけ機１の中段の部材１３ｂ及び下段の部材１３ｃが図１のように伸び、図２のように縮むようにしてある。駆動機１５には油圧式、空気式といった所望の駆動機を使用することができる。
【００２０】
前記穴あけ機１は移動機構により堆肥室内を前後、左右に移動できるようにしてある。移動機構としては、例えば既存のホイスト式天井クレーンの駆動機構を利用することができ、他の機構とすることもできる。図３では堆肥室の幅方向（左右方向）に平行に配置した二本一対のガイドレール１１間に架設した前後レール１２を、横移動機構１６によってガイドレール１１の長手方向（堆肥場の横方向）に往復移動可能とし、前後レール１２に設けた前後移動機構１４を前後レール１２の長手方向に往復移動可能としてある。この構成とすることにより、穴あけ機１は前後レール１２に添って所望間隔で前後に往復移動でき、前後レール１２がガイドレール１１に沿って堆肥室内を左右方向（横方向）に往復移動できるようにしてある。
【００２１】
（堆肥穴あけ装置の実施形態２）
図４に示す堆肥穴あけ装置は複数本の穴あけ機１を前後レール１２にその長手方向に一定間隔で取付けて、前後レール１２がガイドレール１１の長手方向に移動すると、複数本の穴あけ機１が同時に同方向に移動するようにしたものである。この場合は、夫々の穴あけ機１は前後レールの長手方向に移動させる必要がない。これら複数本の穴あけ機１は同時に伸縮させることもできるが、時間差を設けて伸縮させることもできる。図４の堆肥穴あけ装置を使用すれば、前後レール１２を所望間隔毎に移動させて一時停止させ、停止位置で複数本の穴あけ機１で縦穴５をあければ、図３のように、前後レールの長手方向に多数の縦穴５をあけることができる。
【００２２】
（堆肥穴あけ装置の実施形態３）
図５に示す堆肥穴あけ装置は、穴あけ機１に穴拡張機構２０を設け、穴あけ機１を伸ばして堆肥に縦穴５をあけ、穴あけ機１を縦穴５に差し込んだまま穴拡張機構２０を図６のように膨らませると、縦穴５の下部に縦穴５の上部よりも径の大きな拡張空間部２１が形成されるようにしたものである。
【００２３】
穴拡張機構２０は図７（ａ）〜（ｄ）に示すように、穴あけ機１の内側中心部に可動軸２２があり、その外側に復帰用バネ２３があり、その外側にパイプ状のケース２４があり、ケース２４はパイプ状の下ケース２６の上部２６ａと、パイプ状の上ケース２５の下部２５ａをオーバーラップさせて上下に配置し、オーバーラップ部分を連結軸２７で連結して上下のケース２５、２６を上下にスライド可能とし、上下のケース２５、２６の全外周に一定間隔で多数本の細長板バネ２８を設け、それら細長板バネ２８の上端２８ａを上ケース２５の上端２５ｂに、細長板バネ２８の下端２８ｂを下ケース２６の下端２６ｂに取り付けてある。夫々の細長板バネ２８の上下方向中央部は外側に膨れるように湾曲しており、可動軸２２を図７（ｂ）のように押し下げて上下のケース２５、２６を縮めると、個々の細長板バネ２８が圧縮されてラグビーボールのように外側に膨れ、その外周に被せてある伸縮性のあるゴム製等の被覆体２９を膨らませるようにしてある。被覆体２９が膨らむと縦穴５の内周面を外側に圧縮し、縦穴５に拡張空間部２１（図６）を形成できるようにしてある。前記のように上下のケース２５、２６が縮むと復帰用バネ２３が圧縮されて、復帰用バネ２３に伸張力が蓄勢される。可動軸２２の押し下げを解除すると図７（ｄ）のように、上下のケース２５、２６が復帰用バネ２３の復元力で上下に押し戻されて、個々の細長板バネ２８の圧縮が開放されて元の細い状態に復元し、被覆体２９も復元して縮小するようにしてある。
【００２４】
（堆肥穴あけ装置の実施形態４）
図８に示す堆肥穴あけ装置は複数本の穴あけ機１を前後レール１２にその長手方向に一定間隔で取付けて、前後レール１２がガイドレール１１の長手方向に移動すると、複数本の穴あけ機１が同時に同方向に移動するようにしてある。この場合は、夫々の穴あけ機１は前後レール１２の長手方向に移動させる必要がない。これら複数本の穴あけ機１は同時に伸縮させることもできるが、時間差を設けて伸縮させることもできる。図８の堆肥穴あけ装置を使用すれば、前後レール１２を所望間隔毎に移動させて一時停止させ、停止位置で複数本の穴あけ機１で縦穴５をあければ、図９のように前後レール１２の長手方向に穴あけ機１の数だけ拡張空間部２１を備えた縦穴５をあけることができる。図９は縦穴５をあけ、拡張空間部２１を形成してから、穴あけ機１を抜いた状態であり、堆肥に縦穴５及び拡張空間部２１が形成されている。
【００２５】
（堆肥穴あけ装置の実施形態５）
図１０に示す堆肥穴あけ装置は、穴あけ機１の移動方向先方に堆肥を攪拌する攪拌機３０を配置し、穴あけ機１は攪拌機３０で攪拌された堆肥２の上面から差し込まれて、堆肥２にその上面に開口する縦穴５をあけるようにしたものである。図１０の攪拌機３０はロータリー式のものであり、回転軸３１に多数本の羽根３２が取付けられている。この羽根３２は図１１のように回転軸３１の軸方向に間隔をあけて多数枚取付けられており、回転軸３１を図示されていない駆動体により回転させると回転して堆肥２を攪拌するものである。攪拌機３０は、平行する２本のガイドレール１１に穴あけ機用の前後レール１２とは別に架設した攪拌機用前後レール３３（図１１）に搭載され、攪拌機用前後レール３３が攪拌機用移動機構３４（図１０）によってガイドレール１１に沿って左右に往復移動すると、それに伴って同方向に往復移動できるようにしてある。
【００２６】
図１０の穴あけ機１は図１１のように、平行する２本のガイドレール１１に架設した前後レール１２にその長手方向に間隔をあけて多数本搭載されており、夫々が個々に伸縮して堆肥に縦穴５をあけることができるようにしてある。図１０の穴あけ機１は前後レール１２がガイドレール１１に沿って移動することにより、それと同方向に移動して、攪拌機３０に追随して移動できるようにしてある。
【００２７】
（堆肥穴あけ装置の実施形態６）
図１２に示す堆肥穴あけ装置も、穴あけ機１の移動方向先方に堆肥を攪拌する攪拌機３０を配置し、穴あけ機１は堆肥攪拌機３０で攪拌された堆肥２の上面から差し込まれて、堆肥２にその上面に開口する縦穴５をあけるようにしてある。図１２の攪拌機３０もロータリー式であり、回転軸３１を図示されていない駆動体により回転させるとそれに取付けられている羽根３２が回転して堆肥２を攪拌するようにしてある。図１２の攪拌機３０も、平行する２本のガイドレール１１に穴あけ機用の前後レール１２とは別に架設した攪拌機用前後レール３３（図１１）に搭載され、攪拌機用前後レール３３が攪拌機用移動機構３４（図１２）によってガイドレール１１に沿って左右に往復移動すると、それに伴って同方向に往復移動できるようにしてある。図１２の穴あけ機１は穴拡張機構２０を備えたものであり、図１３のように、穴拡張機構２０により拡張空間部２１をあけることができる。穴拡張機構２０は図７のそれと同じ構成である。
【００２８】
図１３に示す堆肥穴あけ装置は、攪拌機３０の後方に多数本の穴あけ機１を設けたものである。この場合は、多数本の穴あけ機１で多数の穴を同時にあけることができる。
【００２９】
（堆肥穴あけ装置の実施形態６）
図１４に示す堆肥穴あけ装置も、穴あけ機１の移動方向先方に堆肥を攪拌する攪拌機３０を配置して、攪拌機３０で攪拌された堆肥２の上面から穴あけ機１を差し込んで、堆肥にその上面に開口する縦穴５をあけるようにしたものである。図１４の攪拌機３０はスクープ式であり、ベルトコンベアやチェーンコンベア等のコンベア３５にバケットや羽根等の攪拌体３６が多数取付けられており、コンベア３５を図示されていないコンベア駆動機により回転させると攪拌体３６が同方向に回転して堆肥２を下方から上方に攪拌することができるようにしてある。図１４の攪拌機３０は攪拌機用移動体３４がガイドレール１１に沿って往復移動することによりそれと同方向に移動できるようにしてある。コンベア３５及び攪拌体３６は図１５に示すように、二本のガイドレール１１間の間隔よりも少し狭い横幅に形成されており、コンベア３５及び攪拌体３６が回転すると二本のガイドレール１１間の堆肥を攪拌することができるようにしてある。
【００３０】
図１５に示す穴あけ機１は、二本のガイドレール１１間に架設した前後レール１２に間隔をあけて多数搭載してあり、それら穴あけ機１により、攪拌機３０で攪拌された二本のガイドレール１１間の堆肥２の上面から差し込まれて堆肥２に縦穴５をあけることができるようにしてある。また、前後レ−ル１２がガイドレール１１に沿って移動すると、同方向に移動して、堆肥室内の堆肥全体に縦穴５をあけることができるようにしてある。
【００３１】
（堆肥穴あけ装置の実施形態７）
図１６に示す堆肥穴あけ装置も、穴あけ機１の移動方向先方に堆肥２を攪拌する攪拌機３０を配置し、その攪拌機３０で攪拌された堆肥の上面から穴あけ機１を差し込んで、堆肥にその上面に開口する縦穴５をあけるようにしたものである。図１６の攪拌機３０もスクープ式であり、図１４、図１５の場合と同様に、攪拌機用移動体３４がガイドレール１１に沿って往復移動することによりそれと同方向に移動できるようにしてある。この攪拌機用移動機構３４には穴あけ機１を連結して、攪拌機用移動機構３４が移動すると穴あけ機１がそれに牽引されて同方向に移動するようにしてある。図１６の穴あけ機１は穴拡張機構２０を備えたものであり、図１７のように穴拡張機構２０により拡張空間部２１をあけることができるようにしてある。穴拡張機構２０は図７（ａ）〜（ｄ）のそれと同じ構成である。
【００３２】
（堆肥穴あけ装置の実施形態８）
図１８に示す堆肥穴あけ装置も穴あけ機１の移動方向先方に堆肥２を攪拌する攪拌機３０を配置し、穴あけ機１は攪拌機３０で攪拌された堆肥の上面から差し込まれて、堆肥にその上面に開口する縦穴５をあけるようにしてある。図１８の攪拌機３０はスクリュー式であり、堆肥内に差し込んである回転軸４０を回転させることにより、回転軸４０の外周に取り付けられているスクリュー状の攪拌翼４１により堆肥を攪拌できるようにしてある。図１６の攪拌機３０も、平行する２本のガイドレール１１に架設した穴あけ機用のガイドレール１１とは別の攪拌機用前後レール３３に搭載され、攪拌機用移動機構３４が攪拌機用前後レール３３に沿って往復移動すると、それと同方向に移動可能としてある。この攪拌機用移動機構３４には穴あけ機１を連結して、攪拌機用移動機構３４が移動すると、それに牽引されて同方向に移動するようにしてある。図１８の穴あけ機１も穴拡張機構２０を備えており、その穴拡張機構２０により縦穴内に拡張空間部２１をあけることができるようにしてある。穴あけ機１は図９のように多数本設けることもできる。穴拡張機構２０は図７のそれと同じ構成である。穴あけ機１は穴拡張機構２０のないものとすることもできる。
【００３３】
図１８のスクリュー式の堆肥攪拌機３０は、回転軸４０が堆肥室内の堆肥２内に縦向きに差し込まれ、その回転軸４０が堆肥２内で回転されて、回転軸４０の外周に設けた螺旋状の攪拌翼４１で堆肥２を切断、攪拌し、攪拌機３０が前後レール１２に沿って前後移動し、また、前後レール１２がガイドレール１１に沿って移動することにより横移動して、堆肥室内の堆肥２全般を攪拌できるようにしてある。
【００３４】
スクリュー式の堆肥攪拌機には、本件出願人の発明者が開発した特許第３４３７１７５号のものを使用することもできる。これは、回転軸４０の外周に螺旋状の攪拌翼４１が取付けられ、攪拌翼４１の外周縁に堆肥を切断可能な高圧空気を噴出する堆肥切断空気噴出口と、堆肥切断刃が形成され、堆肥切断空気噴出口に高圧空気を供給すると、高圧空気が堆肥切断空気噴出口から側方に噴出されて堆肥を切断すると共にその堆肥が攪拌翼の切断刃によっても切断され、攪拌されるようにしたものである。この場合の高圧気体の圧力は堆肥を切断することができる圧力、例えば数１０ｋｇ／ｃｍ2程度が適するが、堆肥の種類とか、堆肥の堆積厚さ、発酵状態等に合わせて任意に選択することができる。
攪拌翼４１は上から下まで連続する一枚の螺旋ではなく、螺旋が途中で分断されたものでもよい。
【図面の簡単な説明】
【００３５】
【図１】本件発明の堆肥穴あけ装置の穴あけ機を伸ばして堆肥に差し込んだ状態の側面図。
【図２】図１の堆肥穴あけ装置の穴あけ機を縮めた状態の側面図。
【図３】本件発明の堆肥穴あけ装置と穴をあけた堆肥の平面説明図。
【図４】本件発明の堆肥穴あけ装置の他例であり、一列に多数配列した穴あけ機を伸ばして堆肥に差し込んだ状態の正面図。
【図５】本件発明の堆肥穴あけ装置の他例であり、穴拡張機構を備えた穴あけ機を縮めた状態の側面図。
【図６】本件発明の堆肥穴あけ装置の他例であり、穴拡張機構を備えた穴あけ機で縦穴をあけてから、穴拡張機構により拡張空間部を形成した状態の側面図。
【図７】（ａ）は本件発明の穴あけ機における穴拡張機構を拡張した状態の平面説明図、（ｂ）は穴拡張機構を拡張した状態の縦断面図、（ｃ）は本件発明の穴あけ機における穴拡張機構を縮小した状態の平面説明図、（ｄ）は穴拡張機構を縮小した状態の縦断面図。
【図８】本件発明の穴拡張機構を備えた堆肥穴あけ装置の他例であり、穴あけ機を一列に多数配列し、それら穴あけ機を伸ばして堆肥に差し込み、穴拡張機構を拡張した状態の正面図。
【図９】本件発明の穴拡張機構を備えた堆肥穴あけ装置の他例であり、穴あけ機を一列に多数配列し、それら穴あけ機を縮めて堆肥から抜き出した状態の正面図。
【図１０】本件発明の穴あけ装置の進行方向前方にロータリー式の堆肥攪拌機を配置した状態の側面図。
【図１１】本件発明の穴あけ装置の進行方向前方にロータリー式の堆肥攪拌機を配置した状態の平面図。
【図１２】本件発明の穴あけ装置の進行方向前方にロータリー式の堆肥攪拌機を配置し、穴あけ機が穴拡張機構を備えた状態の側面図。
【図１３】本件発明の穴あけ装置の進行方向前方にロータリー式の堆肥攪拌機を配置し、攪拌された堆肥に穴拡張機構を備えた穴あけ機で縦穴と拡張空間部とを形成した場合の側面図。
【図１４】本件発明の穴あけ装置の進行方向前方にスクープ式の堆肥攪拌機を配置した状態の側面図。
【図１５】本件発明の穴あけ装置の進行方向前方にスクープ式の堆肥攪拌機を配置した状態の平面図。
【図１６】本件発明の穴あけ装置の進行方向前方にスクープ式の堆肥攪拌機を配置し、穴あけ機が穴拡張機構を備えた状態の側面図。
【図１７】本件発明の穴あけ装置の進行方向前方にスクープ式の堆肥攪拌機を配置し、穴拡張機構を備えた穴あけ機で縦穴をあけ、拡張空間部を形成した状態の側面図。
【図１８】本件発明の穴あけ装置の進行方向前方にスクリュー式の堆肥攪拌機を配置し、穴あけ機が穴拡張機構を備えた状態の側面図。
【符号の説明】
【００３６】
１    穴あけ機
２    堆肥
３    堆肥上面
５    縦穴
１１    ガイドレール
１２    前後レール
１３ａ  上段の部材
１３ｂ  中段の部材
１３ｃ  下段の部材
１３ｄ  穴あけ機の下端
１４    前後移動機構
１５    駆動機
１６    穴あけ機用横移動機構
２０    穴拡張機構
２１    拡張空間部
２２    可動軸
２３    復帰バネ
２４    ケース
２５    上ケース
２５ａ  上ケースの下部
２５ｂ  上ケースの上端
２６    下ケース
２６ａ  下ケースの上部
２６ｂ  下ケースの下端
２７    連結軸
２８    細長板バネ
２８ａ  細長板バネの上端
２８ｂ  細長板バネの下端
２９    被覆体
３０    攪拌機
３１    回転軸
３２    羽根
３３    攪拌機用前後レール
３４    攪拌機用移動機構
３５    コンベア
３６    攪拌体
４０    回転軸
４１    攪拌翼
【図１】
2005239510.tif 000003
【図２】
2005239510.tif 000004
【図３】
2005239510.tif 000005
【図４】
2005239510.tif 000006
【図５】
2005239510.tif 000007
【図６】
2005239510.tif 000008
【図７】
2005239510.tif 000009
【図８】
2005239510.tif 000010
【図９】
2005239510.tif 000011
【図１０】
2005239510.tif 000012
【図１１】
2005239510.tif 000013
【図１２】
2005239510.tif 000014
【図１３】
2005239510.tif 000015
【図１４】
2005239510.tif 000016
【図１５】
2005239510.tif 000017
【図１６】
2005239510.tif 000018
【図１７】
2005239510.tif 000019
【図１８】
2005239510.tif 000020